(57)【要約】本発明の一実施例による無線通信システムにおいて、端末がスロットフォーマットを決定する方法は、上位層シグナリングにより、少なくとも一つのＵＬ／ＤＬリソースパターンに関する情報を有するリソース設定（configuration）を受信する段階と、リソース設定に基づいて、特定の周期ごとに適用されるスロットフォーマットを決定する段階と、を有し、リソース設定が複数のＵＬ／ＤＬリソースパターンに関する情報を有する場合、特定の周期は、複数のＵＬ／ＤＬリソースパターンのうちの第１ＵＬ／ＤＬパターンに関連する第１周期と複数のＵＬ／ＤＬリソースパターンのうちの第２ＵＬ／ＤＬパターンに関連する第２周期との組み合わせにより決定され、特定の周期の整数倍は、所定の時間長さとタイムアラインメントされる。【選択図】図５
2020537848.tif 000002
【特許請求の範囲】
【請求項１】
無線通信システムにおいて端末がスロットフォーマットを決定する方法であって、
上位層シグナリングにより、少なくとも一つの上りリンク（UpLink；ＵＬ）／下りリンク（DownLink；ＤＬ）リソースパターンに関する情報を有するリソース設定（configuration）を受信する段階と、
前記リソース設定に基づいて、特定の周期ごとに適用されるスロットフォーマットを決定する段階と、を有し、
前記リソース設定が複数のＵＬ／ＤＬリソースパターンに関する情報を有する場合、前記特定の周期は、前記複数のＵＬ／ＤＬリソースパターンのうちの第１ＵＬ／ＤＬパターンに関連する第１周期と前記複数のＵＬ／ＤＬリソースパターンのうちの第２ＵＬ／ＤＬパターンに関連する第２周期との組み合わせにより決定され、
前記特定の周期の整数倍は、所定の時間長さとタイムアラインメントされる、方法。
【請求項２】
前記所定の時間長さは２０ｍｓであり、前記特定の周期の整数倍は２０ｍｓである、請求項１に記載の方法。
【請求項３】
前記第１周期は、０．５ｍｓ、０．６２５ｍｓ、１ｍｓ、１．２５ｍｓ、２ｍｓ、２．５ｍｓ、５ｍｓまたは１０ｍｓであり、
前記第２周期は、０．５ｍｓ、０．６２５ｍｓ、１ｍｓ、１．２５ｍｓ、２ｍｓ、２．５ｍｓ、５ｍｓまたは１０ｍｓである、請求項１に記載の方法。
【請求項４】
前記特定の周期は、前記第１周期と前記第２周期との和であり、
前記第１周期と前記第２周期との和が２０ｍｓの約数になるように、前記第１周期と前記第２周期との組み合わせは決定される、請求項３に記載の方法。
【請求項５】
周期的にグループ共通（Group Common；ＧＣ）物理下りリンク制御チャネル（Physical Downlink Control CHannel；ＰＤＣＣＨ）をモニタリングすることにより、第１スロットフォーマット関連情報（Slot Format related Information；ＳＦＩ）を有する第１下りリンク制御情報（Downlink Control Information；ＤＣＩ）を受信する段階と、
前記端末のための所定のスロットフォーマットテーブルのスロットフォーマット組み合わせのうち、前記第１ＳＦＩにより指示されるスロットフォーマット組み合わせを得る段階と、
前記第１ＳＦＩにより指示されるスロットフォーマット組み合わせの区間（duration）が前記ＧＣ−ＰＤＣＣＨのモニタリング周期より長い場合、前記第１ＳＦＩにより指示されるスロットフォーマット組み合わせの区間内で第２ＳＦＩを有する第２ＤＣＩを受信する段階と、をさらに有する、請求項１に記載の方法。
【請求項６】
前記第１ＳＦＩと前記第２ＳＦＩとは、同じスロットに対して同じスロットフォーマットを指示する、請求項５に記載の方法。
【請求項７】
無線通信システムにおいて基地局がスロットフォーマットを決定する方法であって、
上位層シグナリングにより、少なくとも一つの上りリンク（UpLink；ＵＬ）／下りリンク（DownLink；ＤＬ）リソースパターンに関する情報を有するリソース設定を送信する段階と、
前記リソース設定に基づいて、特定の周期ごとに適用されるスロットフォーマットを決定する段階と、を有し、
前記リソース設定が複数のＵＬ／ＤＬリソースパターンに関する情報を有する場合、前記特定の周期は、前記複数のＵＬ／ＤＬリソースパターンのうちの第１ＵＬ／ＤＬパターンに関連する第１周期と前記複数のＵＬ／ＤＬリソースパターンのうちの第２ＵＬ／ＤＬパターンに関連する第２周期との組み合わせにより決定され、
前記特定の周期の整数倍は、所定の時間長さとタイムアラインメントされる、方法。
【請求項８】
前記所定の時間長さは２０ｍｓであり、前記特定の周期の整数倍は２０ｍｓである、請求項７に記載の方法。
【請求項９】
前記第１周期は、０．５ｍｓ、０．６２５ｍｓ、１ｍｓ、１．２５ｍｓ、２ｍｓ、２．５ｍｓ、５ｍｓまたは１０ｍｓであり、
前記第２周期は、０．５ｍｓ、０．６２５ｍｓ、１ｍｓ、１．２５ｍｓ、２ｍｓ、２．５ｍｓ、５ｍｓまたは１０ｍｓである、請求項７に記載の方法。
【請求項１０】
前記特定の周期は、前記第１周期と前記第２周期との和であり、
前記第１周期と前記第２周期との和が２０ｍｓの約数になるように、前記第１周期と前記第２周期との組み合わせは決定される、請求項９に記載の方法。
【請求項１１】
グループ共通（Group Common；ＧＣ）物理下りリンク制御チャネル（Physical Downlink Control CHannel；ＰＤＣＣＨ）により第１スロットフォーマット関連情報（Slot Format related Information；ＳＦＩ）を有する第１下りリンク制御情報（Downlink Control Information；ＤＣＩ）を送信する段階と、
前記第１ＳＦＩにより指示されるスロットフォーマット組み合わせの区間（duration）が前記ＧＣ−ＰＤＣＣＨの周期より長い場合、前記第１ＳＦＩにより指示されるスロットフォーマット組み合わせの区間内で第２ＳＦＩを有する第２ＤＣＩを送信する段階と、をさらに有する、請求項７に記載の方法。
【請求項１２】
前記第１ＳＦＩと前記第２ＳＦＩとは、同じスロットに対して同じスロットフォーマットを指示する、請求項１１に記載の方法。
【請求項１３】
端末であって、
送受信器と、
前記送受信器を制御することにより、上位層シグナリングにより、少なくとも一つの上りリンク（UpLink；ＵＬ）／下りリンク（DownLink；ＤＬ）リソースパターンに関する情報を有するリソース設定を受信し、
前記リソース設定に基づいて、特定の周期ごとに適用されるスロットフォーマットを決定する、よう構成されたプロセッサと、を有し、
前記リソース設定が複数のＵＬ／ＤＬリソースパターンに関する情報を有する場合、前記特定の周期は、前記複数のＵＬ／ＤＬリソースパターンのうちの第１ＵＬ／ＤＬパターンに関連する第１周期と前記複数のＵＬ／ＤＬリソースパターンのうちの第２ＵＬ／ＤＬパターンに関連する第２周期との組み合わせにより決定され、
前記特定の周期の整数倍は、所定の時間長さとタイムアラインメントされる、端末。
【請求項１４】
基地局であって、
送受信器と、
前記送受信器を制御することにより、上位層シグナリングにより、少なくとも一つの上りリンク（UpLink；ＵＬ）／下りリンク（DownLink；ＤＬ）リソースパターンに関する情報を有するリソース設定を送信し、前記リソース設定に基づいて特定の周期ごとに適用されるスロットフォーマットを決定する、よう構成されたプロセッサと、を有し、
前記リソース設定が複数のＵＬ／ＤＬリソースパターンに関する情報を有する場合、前記特定の周期は、前記複数のＵＬ／ＤＬリソースパターンのうちの第１ＵＬ／ＤＬパターンに関連する第１周期と前記複数のＵＬ／ＤＬリソースパターンのうちの第２ＵＬ／ＤＬパターンに関連する第２周期との組み合わせにより決定され、
前記特定の周期の整数倍は、所定の時間長さとタイムアラインメントされる、基地局。
【発明の詳細な説明】
【技術分野】
【０００１】
本発明は、無線通信システムに関し、より具体的には、端末および／または基地局がＤＬ／ＵＬおよび／もしくはＦｌｅｘｉｂｌｅシンボルを含むスロットフォーマットを決定する方法ならびにそのための装置に関する。
【背景技術】
【０００２】
まず、既存の３ＧＰＰ  ＬＴＥ／ＬＴＥ−Ａシステムについて簡略に説明する。図１を参照すると、端末は、初期セルサーチ（探索）（initial cell search）を行う（Ｓ１０１）。初期セルサーチの過程において、端末は、基地局からＰ−ＳＣＨ（Primary Synchronization CHannel）およびＳ−ＳＣＨ（Secondary Synchronization CHannel）を受信して基地局と下りリンク同期を確立し、セルＩＤなどの情報を得る。その後、端末は、ＰＢＣＨ（Physical Broadcast CHannel）を介してシステム情報（例えば、ＭＩＢ）を得る。端末は、ＤＬＲＳ（DownLink Reference Signal）を受信して下りリンクチャネル状態を確認することができる。
【０００３】
初期セルサーチ後、端末は、ＰＤＣＣＨ（Physical Downlink Control CHannel）およびＰＤＣＣＨによりスケジューリングされたＰＤＳＣＨ（Physical Downlink Control CHannel）を受信して、より具体的なシステム情報（例えば、ＳＩＢｓ）を得る（Ｓ１０２）。
【０００４】
端末は、上りリンク同期のためにランダムアクセス（任意接続）（random access）過程（処理、手順）（Random Access Procedure）を行う。端末は、ＰＲＡＣＨ（Physical Random Access CHannel）を介してプリアンブル（例えば、Ｍｓｇ１）を伝送し（Ｓ１０３）、ＰＤＣＣＨおよびＰＤＣＣＨに対応するＰＤＳＣＨを介してプリアンブルに対する応答メッセージ（例えば、Ｍｓｇ２）を受信する（Ｓ１０４）。コンテンションベース（競争基盤）の（contention-based）ランダムアクセスの場合は、さらに、ＰＲＡＣＨの伝送（Ｓ１０５）およびＰＤＣＣＨ／ＰＤＳＣＨの受信（Ｓ１０６）などの衝突解決手順（Contention Resolution Procedure）が行われる。
【０００５】
その後、端末は、一般的な上／下りリンク信号の伝送手順として、ＰＤＣＣＨ／ＰＤＳＣＨの受信（Ｓ１０７）およびＰＵＳＣＨ（Physical Uplink Shared CHannel）／ＰＵＣＣＨ（Physical Uplink Control CHannel）の伝送（Ｓ１０８）を行う。端末は、基地局にＵＣＩ（Uplink Control Information）を送信する。ＵＣＩは、ＨＡＲＱ  ＡＣＫ／ＮＡＣＫ（Hybrid Automatic Repeat reQuest ACKnowledgement/Negative-ACK）、ＳＲ（Scheduling Request）、ＣＱＩ（Channel Quality Indicator）、ＰＭＩ（Precoding Matrix Indicator）および／またはＲＩ（Rank Indication）などを含む。
【発明の概要】
【発明が解決しようとする課題】
【０００６】
本発明で遂げようとする技術的課題は、端末および基地局がスロットフォーマットをより正確で効率的に決定する方法およびそのための装置を提供することである。
【０００７】
本発明の技術的課題は、上述した技術的課題に制限されず、その他の技術的課題が本発明の実施例から導出され得る。
【課題を解決するための手段】
【０００８】
上記技術的課題を達成するための本発明の一態様による無線通信システムにおいて、端末がスロットフォーマットを決定する方法は、上位層シグナリングにより、少なくとも一つの上りリンク（UpLink；ＵＬ）／下りリンク（DownLink；ＤＬ）リソースパターンに関する情報を有するリソース設定（configuration）を受信する段階と、リソース設定に基づいて、特定の周期ごとに適用されるスロットフォーマットを決定する段階と、を有し、リソース設定が複数のＵＬ／ＤＬリソースパターンに関する情報を有する場合、特定の周期は、複数のＵＬ／ＤＬリソースパターンのうちの第１ＵＬ／ＤＬパターンに関連する第１周期と複数のＵＬ／ＤＬリソースパターンのうちの第２ＵＬ／ＤＬパターンに関連する第２周期との組み合わせにより決定され、特定の周期の整数倍は、所定の時間長さとタイムアラインメント（時間整列）される（time-aligned）。
【０００９】
上記技術的課題を達成するための本発明の他の態様による無線通信システムにおいて、基地局がスロットフォーマットを決定する方法は、上位層シグナリングにより、少なくとも一つのＵＬ／ＤＬリソースパターンに関する情報を有するリソース設定を送信する段階と、リソース設定に基づいて、特定の周期ごとに適用されるスロットフォーマットを決定する段階と、を有し、リソース設定が複数のＵＬ／ＤＬリソースパターンに関する情報を有する場合、特定の周期は、複数のＵＬ／ＤＬリソースパターンのうちの第１ＵＬ／ＤＬパターンに関連する第１周期と複数のＵＬ／ＤＬリソースパターンのうちの第２ＵＬ／ＤＬパターンに関連する第２周期との組み合わせにより決定され、特定の周期の整数倍は、所定の時間長さとタイムアラインメントされる。
【００１０】
上記技術的課題を達成するための本発明のさらに他の態様による端末は、送受信器と、送受信器を制御することにより、上位層シグナリングにより、少なくとも一つのＵＬ／ＤＬリソースパターンに関する情報を有するリソース設定を受信し、リソース設定に基づいて、特定の周期ごとに適用されるスロットフォーマットを決定するプロセッサと、を有し、リソース設定が複数のＵＬ／ＤＬリソースパターンに関する情報を有する場合、特定の周期は、複数のＵＬ／ＤＬリソースパターンのうちの第１ＵＬ／ＤＬパターンに関連する第１周期と複数のＵＬ／ＤＬリソースパターンのうちの第２ＵＬ／ＤＬパターンに関連する第２周期との組み合わせにより決定され、特定の周期の整数倍は、所定の時間長さとタイムアラインメントされる。
【００１１】
上記技術的課題を達成するための本発明のさらに他の態様による基地局は、送受信器と、送受信器を制御することにより、上位層シグナリングにより、少なくとも一つのＵＬ／ＤＬリソースパターンに関する情報を有するリソース設定を送信し、リソース設定に基づいて、特定の周期ごとに適用されるスロットフォーマットを決定するプロセッサと、を有し、リソース設定が複数のＵＬ／ＤＬリソースパターンに関する情報を有する場合、特定の周期は、複数のＵＬ／ＤＬリソースパターンのうちの第１ＵＬ／ＤＬパターンに関連する第１周期と複数のＵＬ／ＤＬリソースパターンのうちの第２ＵＬ／ＤＬパターンに関連する第２周期との組み合わせにより決定され、特定の周期の整数倍は、所定の時間長さとタイムアラインメントされる。
【００１２】
所定の時間長さは２０ｍｓであり、特定の周期の整数倍は２０ｍｓである。
【００１３】
第１周期は、０．５ｍｓ、０．６２５ｍｓ、１ｍｓ、１．２５ｍｓ、２ｍｓ、２．５ｍｓ、５ｍｓまたは１０ｍｓである。第２周期は、０．５ｍｓ、０．６２５ｍｓ、１ｍｓ、１．２５ｍｓ、２ｍｓ、２．５ｍｓ、５ｍｓまたは１０ｍｓである。特定の周期は、第１周期と第２周期との和である。第１周期と第２周期との和が２０ｍｓの約数になるように、第１周期と第２周期との組み合わせは決定される。
【００１４】
端末は、周期的にグループ共通物理下りリンク制御チャネル（Group Common-Physical Downlink Control CHannel；ＧＣ−ＰＤＣＣＨ）をモニタリングすることにより、第１スロットフォーマット関連情報（Slot Format related Information；ＳＦＩ）を有する第１下りリンク制御情報（Downlink Control Information；ＤＣＩ）を受信する。端末は、所定のスロットフォーマットテーブルのスロットフォーマット組み合わせのうち、第１ＳＦＩにより指示されるスロットフォーマット組み合わせを得る。第１ＳＦＩにより指示されるスロットフォーマット組み合わせの区間（duration）がＧＣ−ＰＤＣＣＨのモニタリング周期より長い場合、端末は、第１ＳＦＩにより指示されるスロットフォーマット組み合わせの区間内で第２ＳＦＩを有する第２ＤＣＩを受信する。第１ＳＦＩと第２ＳＦＩとは、同じスロットに対して同じスロットフォーマットを指示する。
【発明の効果】
【００１５】
本発明の一実施例によれば、端末に上位層シグナリングにより複数のＵＬ／ＤＬリソースパターンが与えられる場合、与えられたリソースパターンの周期の和が予め定義されたサイズになるように設定されるので、リソースパターンの適用およびスロットフォーマットに関連するタイムアラインメントが明確かつ効率的に行われる。
【００１６】
本発明の技術的効果は、上述した技術的効果に制限されず、その他の技術的効果が本発明の実施例から導出され得る。
【図面の簡単な説明】
【００１７】
【図１】３ＧＰＰ  ＬＴＥ／ＬＴＥ−Ａシステムに用いられる物理チャネルおよびこれらを用いた一般的な信号伝送方法を例示する図である。
【図２】本発明の一実施例による準静的Ｄ／Ｕ割り当てのトランケート（切断）（truncation）を示す図である。
【図３】本発明の他の実施例による準静的Ｄ／Ｕ割り当てのトランケートを示す図である。
【図４】本発明の一実施例によるＰＵＳＣＨ準備時間（すなわち、Ｎ２）およびＴＡを考慮したＵＬ  ＲＲＣ設定取り消し可能時間を示す図である。
【図５】本発明の一実施例によるスロットフォーマット決定方法の流れを示す図である。
【図６】本発明の一実施例による端末および基地局を示す図である。
【発明を実施するための形態】
【００１８】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線アクセス（接続）システムに用いられる。ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Evolved UTRA）などの無線技術によって具現することができる。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡを用いるＥ−ＵＭＴＳ（Evolved UMTS）の一部であり、下りリンクでＯＦＤＭＡを採用し、上りリンクでＳＣ−ＦＤＭＡを採用する。ＬＴＥ−Ａ（Advanced）は、３ＧＰＰ  ＬＴＥの進化したバージョンである。
【００１９】
説明を明確にするために、３ＧＰＰベースの移動通信システムを中心に記述するが、本発明の技術的思想がこれに制限されるわけではない。また、以下の説明で使われる特定の用語は、本発明の理解を助けるために提供されるものであり、このような特定用語の使用は、本発明の技術的思想から逸脱しない範囲で他の形態に変更することもできる。
【００２０】
多数の通信機器がより大きな通信容量を要求することにより、最近論議されている次世代通信システムでは、既存の無線アクセス技術（Radio Access Technology、ＲＡＴ）に比べて向上したモバイルブロードバンド（enhanced Mobile Broadband、ｅＭＢＢ）通信の必要性が高まっている。また、多数の機器およびモノ（物事）（objects）を接続（連結）していつでもどこでも多様なサービスを提供する大規模ＭＴＣ（massive Machine Type Communications、ｍＭＴＣ）も次世代通信において考慮すべき主要な論点（イッシュ）である。信頼性および遅延などにセンシティブ（敏感）なサービス／ＵＥを考慮して、次世代通信システムとしてＵＲＬＬＣ（Ultra-Reliable and Low Latency Communication）が論議されている。
【００２１】
このように、ｅＭＢＢ、ｍＭＴＣおよびＵＲＬＣＣなどを考慮した新しい無線アクセス技術（New RAT）が次世代無線通信のために論議されている。
【００２２】
Ｎｅｗ  ＲＡＴの設計とかち合わない（齟齬しない）（at variance）ＬＴＥ／ＬＴＥ−Ａの動作および設定は、Ｎｅｗ  ＲＡＴにも適用することができる。Ｎｅｗ  ＲＡＴは、便宜上５Ｇ移動通信とも称する。
【００２３】
＜ＮＲフレーム構造および物理リソース＞
【００２４】
ＮＲシステムにおいて、下りリンク（ＤＬ）および上りリンク（ＵＬ）の伝送は、１０ｍｓの長さ（duration）を有するフレームを介して行われ、各々のフレームは、１０個のサブフレームを含む。したがって、１（個の）サブフレームは、１ｍｓに該当する。各々のフレームは、２個のハーフフレーム（half-frame）に分けられる。
【００２５】
１（個の）サブフレームは、Ｎsymbsubframe,μ＝Ｎsymbslot×Ｎslotsubframe,μ個の連続したＯＦＤＭシンボルを含む。Ｎsymbslotは、スロット当たりのシンボル数、μは、ＯＦＤＭニューマロロジ（numerology）を表し、Ｎslotsubframe,μは、該当μに対するサブフレーム当たりのスロット数を表す。ＮＲでは、表１のような多重ＯＦＤＭニューマロロジがサポート（支援）される（supported）。
【００２６】
【表１】
2020537848.tif 000003
【００２７】
表１において、Δｆは、サブキャリア間隔（SubCarrier Spacing、ＳＣＳ）を意味する。ＤＬキャリアＢＷＰ（BandWidth Part）に対するμおよびＣＰ（Cyclic Prefix）とＵＬキャリアＢＷＰに対するμおよびＣＰとは、上りリンクシグナリングにより端末に設定される。
【００２８】
表２は、ノーマル（一般）ＣＰ（normal CP）の場合、各々のＳＣＳに対するスロット当たりのシンボル数（Ｎsymbslot）、フレーム当たりのスロット数（Ｎslotframe,μ）およびサブフレーム当たりのスロット数（Ｎslotsubframe,μ）を表す。
【００２９】
【表２】
2020537848.tif 000004
【００３０】
表３は、拡張（拡大）ＣＰ（extended CP）の場合、各々のＳＣＳに対するスロット当たりのシンボル数（Ｎsymbslot）、フレーム当たりのスロット数（Ｎslotframe,μ）およびサブフレーム当たりのスロット数（Ｎslotsubframe,μ）を表す。
【００３１】
【表３】
2020537848.tif 000005
【００３２】
このように、ＮＲシステムでは、ＳＣＳ（SubCarrier Spacing）によって１（個の）サブフレームを構成するスロット数が変化する。各々のスロットに含まれたＯＦＤＭシンボルは、Ｄ（ＤＬ）、Ｕ（ＵＬ）およびＸ（Flexible）のうちのいずれかである。ＤＬ送信は、ＤまたはＸシンボルで行われ、ＵＬ送信は、ＵまたはＸシンボルで行われる。なお、Ｆｌｅｘｉｂｌｅリソース（例えば、Ｘシンボル）は、Ｒｅｓｅｒｖｅｄリソース、ＯｔｈｅｒリソースまたはＵｎｋｎｏｗｎリソースとも称される。
【００３３】
ＮＲにおいて、１つのＲＢ（Resource Block）は、周波数領域で１２個のサブキャリアに該当する。ＲＢは、複数（多数）のＯＦＤＭシンボルを含む。ＲＥ（Resource Element）は、１（個の）サブキャリアおよび１（個の）ＯＦＤＭシンボルに該当する。したがって、１（個の）ＲＢ内の１（個の）ＯＦＤＭシンボル上には、１２（個の）ＲＥが存在する。
【００３４】
キャリアＢＷＰは、連続するＰＲＢ（Physical Resource Block）のセットで定義される。キャリアＢＷＰは、簡略にＢＷＰとも称される。１つのＵＥには、最大４つのＢＷＰが上りリンク／下りリンクの各々に対して設定される。多重のＢＷＰが設定されても、与えられた時間の間には１つのＢＷＰが活性化される。ただし、端末にＳＵＬ（Supplementary UpLink）が設定された場合、さらに４つのＢＷＰがＳＵＬに対して設定され、与えられた時間の間に１つのＢＷＰが活性化される。端末は、活性化されたＤＬ  ＢＷＰから外れると、ＰＤＳＣＨ、ＰＤＣＣＨ、ＣＳＩ−ＲＳ（Channel State Information-Reference Signal）またはＴＲＳ（Tracking Reference Signal）を受信できない。また、端末は、活性化されたＵＬ  ＢＷＰから外れると、ＰＵＳＣＨまたはＰＵＣＣＨを受信できない。
【００３５】
＜ＮＲ  ＤＬ  Ｃｏｎｔｒｏｌ  Ｃｈａｎｎｅｌ＞
【００３６】
ＮＲシステムにおいて、制御チャネルの伝送単位は、ＲＥＧ（Resource Element Group）および／またはＣＣＥ（Control Channel Element）などで定義される。
【００３７】
ＲＥＧは、時間領域（ドメイン）では１（個の）ＯＦＤＭシンボル、周波数領域では１（個の）ＰＲＢに該当する。１（個の）ＣＣＥは６（個の）ＲＥＧに該当する。一つの制御チャネル候補を構成するＣＣＥの数は、アグリゲーション（集合）レベル（Aggregation Level、ＡＬ）によって異なる。例えば、アグリゲーションレベルがＮである場合、制御チャネル候補は、Ｎ個のＣＣＥからなる。
【００３８】
なお、制御リソースセット（COntrol REsource SET、ＣＯＲＥＳＥＴ）およびサーチスペース（探索空間）（Search Space、ＳＳ）について簡略に説明すると、ＣＯＲＥＳＥＴは、制御信号送信のためのリソースのセットであり、サーチスペースは、端末がブラインド検出を行う制御チャネル候補の集まり（セット）である。サーチスペースは、ＣＯＲＥＳＥＴ上に設定される。一例として、１つのＣＯＲＥＳＥＴに１つのサーチスペースが定義される場合、ＣＳＳ（Common Search Space）のためのＣＯＲＥＳＥＴとＵＳＳ（UE-specific Search Space）のためのＣＯＲＥＳＥＴとが各々設定される。他の例として、１つのＣＯＲＥＳＥＴに複数のサーチスペースが定義されることもできる。例えば、ＣＳＳとＵＳＳとが同じＣＯＲＥＳＥＴに設定されることができる。以下の例において、ＣＳＳは、ＣＳＳが設定されるＣＯＲＥＳＥＴを意味し、ＵＳＳは、ＵＳＳが設定されるＣＯＲＥＳＥＴなどを意味することもできる。
【００３９】
基地局は、ＣＯＲＥＳＥＴに関する情報を端末にシグナリングすることができる。例えば、各々のＣＯＲＥＳＥＴのためにＣＯＲＥＳＥＴ  Ｃｏｎｆｉｇｕｒａｔｉｏｎがシグナリングされる。例えば、ＣＯＲＥＳＥＴ  Ｃｏｎｆｉｇｕｒａｔｉｏｎにより該当ＣＯＲＥＳＥＴの時間長さ（time duration）（例えば、１／２／３（個の）シンボルなど）、周波数領域リソース（例えば、ＲＢセット）、ＲＥＧ−ｔｏ−ＣＣＥマッピングタイプ（例えば、ｉｎｔｅｒｌｅａｖｅｄ／Ｎｏｎ−ｉｎｔｅｒｌｅａｖｅｄ）、プリコーディング粒度、ＲＥＧバンドリングサイズ（例えば、ｉｎｔｅｒｌｅａｖｅｄ  ｍａｐｐｉｎｇ  ｔｙｐｅの場合）、インターリーブのサイズ（例えば、ｉｎｔｅｒｌｅａｖｅｄ  ｍａｐｐｉｎｇ  ｔｙｐｅの場合）およびＤＭＲＳ設定（例えば、スクランブルＩＤ）のうちのいずれかがシグナリングされる。１シンボル−ＣＯＲＥＳＥＴにＣＣＥを分散するインターリーブが適用される場合、２または６個のＲＥＧのバンドリングが行われる。２シンボル−ＣＯＲＥＳＥＴに２または６個のＲＥＧのバンドリングが行われ、時間優先マッピングが適用される。３シンボル−ＣＯＲＥＳＥＴに３または６個のＲＥＧのバンドリングが行われ、時間優先マッピングが適用される。ＲＥＧバンドリングが行われる場合、端末は、該当バンドリング単位に対して同一のプリコーディングを仮定することができる。
【００４０】
＜Ｔｈｅ  ＵＥ  ｏｐｅｒａｔｉｏｎｓ  ｒｅｌａｔｅｄ  ｔｏ  ｓｌｏｔ  ｆｏｒｍａｔ＞
【００４１】
ＳＦＩ（Slot Format related Information）は、ＧＣ（Group-Common）ＰＤＣＣＨ（例えば、ＤＣＩ  ｆｏｒｍａｔ  ２＿０）および／またはＵＥ−ｓｐｅｃｉｆｉｃ  ＤＣＩにより直／間接的に指示される。以下のように説明できる。端末がＧＣ  ＰＤＣＣＨを介してＳＦＩを受信し、ＵＥ−ｓｐｅｃｉｆｉｃ  ＤＣＩによりＳＦＩを受信したとき、どのＳＦＩに従うかについてのＵＥの動作が定義される。例えば、ＧＣ  ＰＤＣＣＨとＵＥ−ｓｐｅｃｉｆｉｃ  ＤＣＩとの間の優先順位が設定され、端末が２つのＳＦＩを同時に有しているとき、どの情報に従うかが優先順位によって決定される。また、ＧＣ  ＰＤＣＣＨおよび／またはＵＥ−ｓｐｅｃｉｆｉｃ  ＤＣＩの信頼度が十分に確保されていないときに端末が行える動作が定義される。また、ＧＣ  ＰＤＣＣＨと準静的な設定（semi-static configuration）（例えば、ＲＲＣシグナリングによる各リソースのＤＬ／ＵＬ設定情報）との間の関係についても提案する。
【００４２】
端末ごとに、上位層シグナリングによりＵＥ−ｓｐｅｃｉｆｉｃ  ＳＦＩテーブルが設定される。例えば、ＳＦＩテーブルは、複数のエントリを有し、各エントリは、複数のスロット（例えば、複数のＢＷＰに対する複数のスロット）に対するスロットフォーマットの組み合わせを示す。
【００４３】
ＧＣ  ＰＤＣＣＨは、端末に設定されたＵＥ−ｓｐｅｃｉｆｉｃ  ＳＦＩテーブルにおいてどのエントリのスロットフォーマットが使用されるかに関する情報（例えば、エントリのインデックス）を端末に指示する。ＵＥ−ｓｐｅｃｉｆｉｃ  ＳＦＩテーブルは、様々な数のスロットに対するスロットフォーマットを有し、ＧＣ  ＰＤＣＣＨは、状況によって様々な数のスロットに対して使用されるスロットフォーマットを指示する。ＧＣ  ＰＤＣＣＨは、一定周期で送信されるが、ＵＥ−ｓｐｅｃｉｆｉｃ  ＳＦＩテーブルが示すスロット数（または長さ）は、ＧＣ  ＰＤＣＣＨの周期と同一であるか、倍数になるか、または同一でもなく倍数の関係でもないことができる。
【００４４】
Ｓｌｏｔ  ｆｏｒｍａｔ  ｉｎｄｉｃａｔｉｏｎ  ｌｅｓｓ  ｔｈａｎ  ＧＣ  ＰＤＣＣＨ  ｐｅｒｉｏｄｉｃｉｔｙ
【００４５】
例えば、ＧＣ  ＰＤＣＣＨの周期が４（個の）スロットでありかつＵＥ−ｓｐｅｃｉｆｉｃ  ＳＦＩテーブルの各エントリごとに２個、４個、６個もしくは８個のスロットに対するスロットフォーマットを有するか、またはＧＣ  ＰＤＣＣＨの周期に関係なく、ＵＥ−ｓｐｅｃｉｆｉｃ  ＳＦＩテーブルのいずれかのエントリがＧＣ  ＰＤＣＣＨにより指示されることができる。
【００４６】
このとき、ＧＣ  ＰＤＣＣＨによりスロットフォーマットが指示されたスロット数がＧＣ  ＰＤＣＣＨの周期と同一でないかまたは倍数にならない場合、端末がＧＣ  ＰＤＣＣＨを正確に受信してもスロットフォーマットが明確に定義されないスロットが発生することができる。例えば、ＧＣ  ＰＤＣＣＨを介してスロットフォーマットが指示されたスロット数は２個に過ぎないが、ＧＣ  ＰＤＣＣＨの周期が４（個の）スロットである場合、ＧＣ  ＰＤＣＣＨの周期内に位置する４個のスロットのうち、２個のスロットについてはスロットフォーマットが明確に定義されないという問題がある。
【００４７】
このようにスロットフォーマットが明確に定義されないスロットに対する端末の動作として、以下のようなオプションを考えることができる。
【００４８】
−Ｏｐｔｉｏｎ  １：端末は、該当スロットを’Ｕｎｋｎｏｗｎ’と判断する。
【００４９】
−Ｏｐｔｉｏｎ  ２：端末は、該当スロットを’Ｄｏｗｎｌｉｎｋ’と判断する。
【００５０】
−Ｏｐｔｉｏｎ  ３：端末は、該当スロットについて’端末がＧＣ  ＰＤＣＣＨを受信すべきであるが正常にＧＣ  ＰＤＣＣＨを検出できなかったときに行う動作’を行う。
【００５１】
−Ｏｐｔｉｏｎ  ４：端末は、このようにスロットフォーマットが定義されないスロットを引き起こすＧＣ  ＰＤＣＣＨを正しくない（False）と判断する。
【００５２】
Ｒｅｌａｔｉｏｎｓｈｉｐ  ｂｅｔｗｅｅｎ  ＧＣ  ＰＤＣＣＨ  ａｎｄ  ｅａｒｌｉｅｒ  ＧＣ  ＰＤＣＣＨ
【００５３】
第１ＧＣ  ＰＤＣＣＨ（例えば、第１ＤＣＩ  ｆｏｒｍａｔ  ２＿０  ｔｈｒｏｕｇｈ  ＧＣ  ＰＤＣＣＨ）が周期より長いスロットに対するスロットフォーマットを指示した状況において、次回のＧＣ  ＰＤＣＣＨ周期で第２／３／．．のＧＣ  ＰＤＣＣＨがスロットフォーマットを指示することができる。この場合、第２／３／．．のＧＣ  ＰＤＣＣＨを介して指示されたスロットフォーマットが適用されるスロットと、第１ＧＣ  ＰＤＣＣＨを介して指示されたスロットフォーマットが適用されるスロットと、が重畳することができる。これを簡略にスロットフォーマット間の重畳という。このように、１（個の）スロットに対するスロットフォーマットの指示が、互いに異なるＧＣ  ＰＤＣＣＨを介して１回以上端末に受信されることができる。
【００５４】
かかる状況において、該当スロットに対する端末の動作として以下のようなオプションが考えられる。
【００５５】
−Ｏｐｔｉｏｎ  １：端末は、常に最近受信したＧＣ  ＰＤＣＣＨのスロットフォーマットに従う。
【００５６】
−Ｏｐｔｉｏｎ  ２：端末は、スロットフォーマットの重畳が発生するスロット前まで既存のＧＣ  ＰＤＣＣＨ（例えば、第１ＧＣ  ＰＤＣＣＨ）のスロットフォーマットに従い、該当スロットから新しいＧＣ  ＰＤＣＣＨ（例えば、第２ＧＣ  ＰＤＣＣＨ）により指示されたスロットフォーマットに従う。
【００５７】
−Ｏｐｔｉｏｎ  ３：スロットフォーマットの指示が重畳するスロットについて、既存のＧＣ  ＰＤＣＣＨと新しいＧＣ  ＰＤＣＣＨとが指すスロットフォーマットが異なる場合、端末は、新しいＧＣ  ＰＤＣＣＨが間違った情報を伝達していると認識する。例えば、ネットワークは、同じスロットについては常に同じスロットフォーマットを指す。
【００５８】
オプション３の一例として、ＤＣＩ  ｆｏｒｍａｔ  ２＿０のためのＰＤＣＣＨ（例えば、ＧＣ  ＰＤＣＣＨ）モニタリング周期が上位層シグナリングにより特定のサーチスペースセットに設定され、端末がＤＣＩ  ｆｏｒｍａｔ  ２＿０のＳＦＩインデックスフィールド値によりスロットフォーマットの組み合わせを得たと仮定する。設定されたＰＤＣＣＨモニタリング周期が、端末が得たスロットフォーマットの組み合わせの長さより短い場合、端末は、１（個の）スロットに対してスロットフォーマットを指示するＤＣＩ  ｆｏｒｍａｔ  ２＿０を２つ以上検出することができる。このような状況で、端末は、該当１（個の）スロットに対して検出された２つ以上のＤＣＩ  ｆｏｒｍａｔ  ２＿０が同じスロットフォーマットを指示すると期待することができる。これと同様に、ネットワーク（または基地局）は、該当１（個の）スロットに対してスロットフォーマットを指示するＤＣＩ  ｆｏｒｍａｔ  ２＿０を２回以上生成／送信することができるが、該当１（個の）スロットに対して、ＤＣＩ  ｆｏｒｍａｔ  ２＿０について同じスロットフォーマットが指示されるようにＤＣＩ  ｆｏｒｍａｔ  ２＿０を生成／送信する必要がある。
【００５９】
Ｐｅｒｉｏｄ  ａｄｊｕｓｔｍｅｎｔ  ｆｏｒ  ｓｅｍｉ−ｓｔａｔｉｃ  Ｄ／Ｕ  ｃｏｎｆｉｇｕｒａｔｉｏｎ  ｗｉｔｈ  ｔｗｏ  ｐｅｒｉｏｄｓ
【００６０】
ネットワークは、準静的Ｄ／Ｕ割り当て（例えば、上位層パラメータＴＤＤ−ＵＬ−ＤＬ−設定）により、一定周期の単位を有するリソース方向Ｄ、ｆｌｅｘｉｂｌｅおよび／またはＵのバンドル（束）（bundle）（またはパターン）を端末に知らせることができる。
【００６１】
ネットワークは、準静的Ｄ／Ｕ割り当てにより、１回に２つの周期（例えば、第１周期および第２周期）に対するリソース方向を端末に知らせることができる（例えば、第１パターンおよび第２パターン）。２つの周期が１つの大きい周期を形成することができる。例えば、２つの小さい周期が１つの大きい周期を形成する場合、大きい周期に該当するリソース方向（例えば、第１パターン＋第２パターン）が繰り返されることができる。便宜上、大きい周期をＰ周期（周期Ｐ）という。
【００６２】
Ｐ周期の時間は２つの周期の組み合わせからなるので、２つの周期がどのように選択されるかによって様々な時間長さの組み合わせがあり得る。
【００６３】
例えば、準静的Ｄ／Ｕ割り当てについて１つの周期が指示されるとき、周期値として使用可能な値が｛０．５、０．６２５、１、１．２５、２、２．５、５、１０｝ｍｓであると仮定する。準静的Ｄ／Ｕ割り当てについて２つの周期が指示されたときには、｛０．５、０．６２５、１、１．２５、２、２．５、５、１０｝ｍｓのうちの２つの周期が選択され、１つの値を２回重複して選択することが許容される。このように選択された２つの周期に基づいてＰ周期が決定される。
【００６４】
このとき、周期Ｐは、一定の時間単位とタイムアラインメントされる必要がある。一定の時間単位とタイムアラインメントされるとは、一定の時間単位が周期Ｐで割り切れること（即ち、余り無し）を意味する。時間単位の例としては、５ｍｓ、１０ｍｓ、２０ｍｓまたは４０ｍｓなどの１０＊（２^ｎ）ｍｓがある。便宜上、Ｐのための一定の単位時間をＫｍｓという。この場合、ｋｍｓは、Ｐ（＝第１周期＋第２周期）の整数倍である。
【００６５】
また、Ｐ周期内に含まれるスロットは、一定単位のスロット数に合わせられる必要がある。一定単位のスロット数の例としては、５（個の）スロット、１０スロット、２０スロットまたは４０スロットなどの１０＊（２^ｎ）個のスロットがある。便宜上、一定単位のスロット数をＮスロットという。
【００６６】
このように、Ｐ周期をＫｍｓまたはＮスロットに合わせるとき、該当の単位時間／単位スロット数とＰ周期とがタイムアラインメントされることもできるが（例えば、ｋｍｓまたはＮスロットがＰ周期で割り切れる場合）、Ｐ周期とタイムアラインメントされないこともできる。タイムアラインメントされない場合には、端末が準静的Ｄ／Ｕ割り当てをＫｍｓまたはＮスロットとアラインメント（整列）する（align）ために、以下のようなオプションが考えられる。
【００６７】
−Ｏｐｔｉｏｎ  １：端末は、ＫｍｓまたはＮスロット内に単一または多数のＰ周期の準静的Ｄ／Ｕ割り当てを適用し、ＫｍｓまたはＮスロットの端とＰ周期の端とが合わない場合には、Ｐ周期内でＫｍｓまたはＮスロットの端と一致する部分までは準静的Ｄ／Ｕ割り当てを適用する。
【００６８】
図２は、オプション１においてＫｍｓが使用される場合を示し、端末が最後のＰ周期の準静的Ｄ／Ｕ割り当てをＫｍｓに基づいてトランケート（truncation）したことを示す。
【００６９】
図３は、オプション１においてＮスロットが使用される場合を示し、端末が最後のＰ周期の準静的Ｄ／Ｕ割り当てをＮスロットに基づいてトランケートしたことを示す。
【００７０】
−Ｏｐｔｉｏｎ  ２：ＫｍｓがＰ周期と常にタイムアラインメントされるように定義されることができる。上述したように、Ｋｍｓは、５ｍｓ、１０ｍｓ、２０ｍｓまたは４０ｍｓなどの１０＊（２^ｎ）ｍｓを満たす値として予め定義される。この場合、ネットワークは、Ｐ周期をなす第１周期および第２周期を決定するにおいて、第１周期と第２周期との組み合わせがＫｍｓとタイムアラインメントされるように第１周期および第２周期を決定することができる。
【００７１】
あるいは、ＮスロットがＰ周期と常にタイムアラインメントされるように定義される。上述したように、Ｎスロットとして、５（個の）スロット、１０スロット、２０スロットまたは４０スロットなどの１０＊（２^ｎ）スロット値のうちの１つがＮスロットとして使用されることができる。
【００７２】
上述した値以外にも、Ｐ周期と同一であるかまたは倍数になるＫｍｓまたはＮスロットが新しく定義され、その結果、Ｋｍｓ／ＮスロットがＰ周期で割り切れるようにすることができる。
【００７３】
−Ｏｐｔｉｏｎ  ３：さらに、オプション２にＫｍｓ（例えば、５ｍｓ、１０ｍｓ、２０ｍｓもしくは４０ｍｓなどの１０＊（２^ｎ）ｍｓ）ならびに／またはＮスロット（例えば、５（個の）スロット、１０スロット、２０スロットもしくは４０スロットなどの１０＊（２^ｎ）スロット）に合うＰ周期のみを使用するように定義することもできる。
【００７４】
ＤＬ／ＵＬ取り消しのための詳しい条件
【００７５】
ＧＣ  ＰＤＣＣＨで伝達するスロットフォーマットにより、ＲＲＣ設定が取り消されたり、ＲＲＣ設定に基づく動作が確認（confirm）されたりする。
【００７６】
端末がＲＲＣ設定に基づく動作を行うか否かを決定するとき、端末がＧＣ  ＰＤＣＣＨの情報を予め知っていると問題にならない。しかしながら、ＲＲＣ設定されたリソースとＧＣ  ＰＤＣＣＨが伝達されるリソースとが同一であるかまたは類似する場合、端末がＲＲＣ設定に基づく動作を行うかまたは取り消すかを決定するとき、ＧＣ  ＰＤＣＣＨの復号処理（プロセシング）時間が問題になり得る。ネットワークは、このようなＧＣ  ＰＤＣＣＨの復号処理時間を考える必要がある。例えば、ＧＣ  ＰＤＣＣＨが完全（完璧）に復号されないと、端末がＲＲＣ設定による動作を行うか否かを明確に把握できないが、復号時間の間に端末が待機になることもできるためである。
【００７７】
ＲＲＣ設定によるＤＬ動作の例としては、ＣＯＲＥＳＥＴモニタリングおよびＣＳＩ−ＲＳ測定があるが、これらに限られない。
【００７８】
ＣＯＲＥＳＥＴのモニタリング時、ＧＣ  ＰＤＣＣＨと異なるＰＤＣＣＨ（例えば、ＧＣ  ＰＤＣＣＨのＤＣＩフォーマットとは異なるＤＣＩフォーマットを運ぶＰＤＣＣＨ）が同じＣＯＲＥＳＥＴで受信されることができる。ＧＣ  ＰＤＣＣＨに対する復号が終了しておらず、端末がＣＯＲＥＳＥＴ全体に対するスロットフォーマットをまだ知らないとき、端末は、ＧＣ  ＰＤＣＣＨだけではなく、他のＰＤＣＣＨに対するブラインドデコード（復号）を全て行うことができる。その後、ＧＣ  ＰＤＣＣＨによって他のＰＤＣＣＨが送信されるＣＯＲＥＳＥＴ領域が取り消されたことを端末が認知すると、端末は、既に行った他のＰＤＣＣＨに対するブラインドデコード結果をドロップ（または破棄（廃棄）（discard））する。
【００７９】
ＣＳＩ−ＲＳ測定について説明すると、ＧＣ  ＰＤＣＣＨとＣＳＩ−ＲＳとが同じシンボルに位置するか、またはＧＣ  ＰＤＣＣＨの復号時間内にＣＳＩ−ＲＳがある場合、端末は、ＣＳＩ−ＲＳの受信の有無を決定する必要がある。このとき、以下の２つのケースが考えられる。
【００８０】
−Ｃａｓｅ  １：端末が単一のＣＳＩ−ＲＳに対する測定を行い、この単一の測定結果のみを基地局に報告する場合
【００８１】
−Ｃａｓｅ  ２：端末がＣＳＩ−ＲＳ（ｓ）に対する測定結果を累積して、その累積結果を基地局に報告する場合
【００８２】
Ｃａｓｅ  １の状況の端末の場合、一旦ＣＳＩ測定を行うが、その後、ＧＣ  ＰＤＣＣＨによって該当ＣＳＩ−ＲＳの受信が取り消されると、該当ＣＳＩ測定値をドロップ（または破棄）することができる。
【００８３】
Ｃａｓｅ  ２の状況の端末の場合、ＧＣ  ＰＤＣＣＨを完全に復号するまでＣＳＩ測定を行わないことができる。これは、間違ったＣＳＩ測定値が累積されることを防止するためのものである。
【００８４】
図４は、本発明の一実施例によってＰＵＳＣＨ準備時間（即ち、Ｎ２）およびＴＡを考慮したＵＬ  ＲＲＣ設定の取り消しが可能な時間を示す。
【００８５】
ネットワークがＵＬ  ＲＲＣ設定ベースの動作を取り消すためには、ＧＣ  ＰＤＣＣＨを介したＵＬ取り消しが最小Ｎ２（例えば、３ＧＰＰ標準文書ＴＳ  ３８．２１４のＰＵＳＣＨ準備時間）前に指示される必要がある。端末が上りリンク送信の準備を開始した時点（例えば、図４（ａ）を参照）からは、ネットワークが端末の該当動作を取り消すことができないためである。このとき、端末は、Ｎ２に（加えて）ＴＡまで考慮して上りリンク送信を準備するので、端末は、スロットフォーマットを基準としてＵＬリソースよりもＮ２＋ＴＡ時間早いタイミングで上りリンクの送信を準備する。したがって、ＵＬ  ＲＲＣ設定ベースの動作に対する取り消しは、Ｎ２＋ＴＡ時間より先に指示される必要がある。例えば、ＵＬ  ＲＲＣ設定に対する取り消しは、ＵＬに指示されたリソースからＮ２＋ＴＡ時間前に指示（またはＧＣ  ＰＤＣＣＨ復号完了）される必要がある。
【００８６】
Ｐｒｉｏｒｉｔｙ  ｂｅｔｗｅｅｎ  ＲＲＣ  ｃｏｎｆｉｇｕｒａｔｉｏｎｓ
【００８７】
ＲＲＣ信号によりリソースに対する用途が設定されるが、このとき、同じリソースに対して２つ以上のＲＲＣ設定が設定されることもできる。したがって、ＲＲＣ設定の間の優先順位および／またはこれに関連する端末動作が定義される必要がある。
【００８８】
特に、同じリソースに対して複数のＲＲＣ設定が設定された結果、ＲＲＣ設定の間でリソース方向が相反することができる。例えば、同じリソースに対してＤＬに該当するＲＲＣ設定とＵＬに該当するＲＲＣ設定とが同時に設定される場合、問題が発生し得る。
【００８９】
ＤＬ関連のＲＲＣ設定は、例えば、（i）周期的／セミパーシステント（半−持続的）ＣＳＩ−ＲＳ  ｆｏｒ  ＣＳＩ報告、（ii）ＣＳＩ−ＲＳ  ｆｏｒ  ＴＲＳ、および／または（iii）ＣＳＩ−ＲＳ  ｆｏｒ  ＲＲＭ（Radio Resource Management）などを含むが、これらに限られない。
【００９０】
ＵＬ関連のＲＲＣ設定は、例えば、（i）周期的ＣＳＩ報告、（ii）周期的／セミパーシステントＳＲＳ、（iii）コンテンションフリー（無競合）（contention-free）ＲＡＣＨリソース、（iv）グラントフリー（無承認）（grant-free）リソース、および／または（v）ＳＲリソースなどを含むが、これらに限られない。
【００９１】
このようなＤＬ／ＵＬ  ＲＲＣ設定が同じリソースに設定されているときのＲＲＣ設定間の優先順位が定義され、または別の端末動作が以下のように定義される。
【００９２】
（１）ＵＥ  ｄｏｅｓ  ｎｏｔ  ｅｘｐｅｃｔ  ｏｖｅｒｌａｐｐｅｄ  ｃｏｎｆｉｇｕｒａｔｉｏｎ
【００９３】
端末は、同じリソースに対して２つ以上のＲＲＣ設定を設定できないと仮定する。同じリソースに２つ以上のＲＲＣ設定が行われると、端末は、２つ以上のＲＲＣ設定をエラーと判断して全て無視する。
【００９４】
（２）Ｆｏｌｌｏｗ  ｔｈｅ    ｌａｔｅｓｔ  ｏｒ  ｆｉｒｓｔ  ｃｏｎｆｉｇｕｒａｔｉｏｎ
【００９５】
端末は、同じリソースに２つ以上のＲＲＣが設定される場合、以下のオプションに従って動作する。
【００９６】
−Ｏｐｔｉｏｎ  １：端末は、最初に受信したＲＲＣ設定に従う。
【００９７】
−Ｏｐｔｉｏｎ  ２：端末は、最後に受信したＲＲＣ設定に従う。
【００９８】
端末がどのオプションに従うかは、予め定義されるか、または端末が従うオプションが上位層シグナリングにより指示される。
【００９９】
（３）Ｒｅｌａｔｉｏｎｓｈｉｐ  ｂｅｔｗｅｅｎ  ｃｏｎｆｉｇｕｒａｔｉｏｎ  ｆｏｒ  ｄｏｗｎｌｉｎｋ  ａｎｄ  ｃｏｎｆｉｇｕｒａｔｉｏｎ  ｆｏｒ  ｕｐｌｉｎｋ
【０１００】
同じリソースでＤＬに該当するＲＲＣ設定とＵＬに該当するＲＲＣ設定とが同時に受信されたとき、端末は、以下のオプションに従って動作する。
【０１０１】
−Ｏｐｔｉｏｎ  １：端末は、ＤＬに該当するＲＲＣ設定に従う。
【０１０２】
−Ｏｐｔｉｏｎ  ２：端末は、ＵＬに該当するＲＲＣ設定に従う。
【０１０３】
−Ｏｐｔｉｏｎ  ３：端末は、該当リソースではＲＲＣ設定に該当するいかなる動作も行わない。
【０１０４】
端末がどのオプションに従うかは、予め定義されるか、または端末が従うオプションが上位層シグナリングにより指示される。
【０１０５】
ＵＥ  ｂｅｈａｖｉｏｒ  ｗｈｅｎ  ＵＥ  ｄｏｅｓ  ｎｏｔ  ｔｒｙ  ｔｏ  ｄｅｃｏｄｅ  ＧＣ  ＰＤＣＣＨ
【０１０６】
ＢＦＲ（Beam Failure Recovery）の状況のとき、端末は、ＢＦＲ関連ＰＤＣＣＨ信号の受信のためのＣＯＲＥＳＥＴ（以下、ＢＦＲ  ＣＯＲＥＳＥＴ）内のサーチスペースを優先してブラインドデコードする。ＢＦＲ  ＣＯＲＥＳＥＴのモニタリング優先順位が最も高いので、端末は、ＢＦＲ  ＣＯＲＥＳＥＴのサーチスペースに対するブラインドデコード後に他のＣＯＲＥＳＥＴ内のサーチスペースをブラインドデコードする。
【０１０７】
一方、ブラインドデコードに関連して、端末ごとにチャネル推定の限界（channel estimation limitation）があり得る。端末がＢＦＲ  ＣＯＲＥＳＥＴ内のサーチスペースに対するブラインドデコードを行う過程において、チャネル推定の限界に到達して他のＣＯＲＥＳＥＴをモニタリングすることが難しい場合がある。あるいは、端末がＢＦＲ  ＣＯＲＥＳＥＴ内のサーチスペースに対するブラインドデコードを行う過程において、チャネル推定の限界まで到達せず、他のＣＯＲＥＳＥＴ内の一部のサーチスペースをブラインドデコードしても、サーチスペースを選択的にブラインドデコードするので、ＧＣ  ＰＤＣＣＨのためのサーチスペースについては、ブラインドデコードを行えない場合があり得る。
【０１０８】
これにより、端末がＧＣ  ＰＤＣＣＨブラインドデコード自体を行えない場合と、ＧＣ  ＰＤＣＣＨを受信するために端末がブラインドデコードを行ったが、ＧＣ  ＰＤＣＣＨを検出できなかった場合と、は異なるように判断される必要がある。ＧＣ  ＰＤＣＣＨのためのブラインドデコード自体を端末が行わず、それにより動的ＳＦＩ（例えば、ＤＣＩ  ｆｏｒｍａｔ  ２＿０）が得られなかった場合に、端末の動作が定義される必要がある。
【０１０９】
−Ｏｐｔｉｏｎ  １：端末は、ＧＣ  ＰＤＣＣＨのためのブラインドデコードを行ったがＧＣ  ＰＤＣＣＨが受信されなかった場合の動作にそのまま従う。
【０１１０】
−Ｏｐｔｉｏｎ  ２：少なくとも端末は、準静的Ｄ／Ｕ割り当てにより定義または活性化された動作を行う。端末は、準静的’ｆｌｅｘｉｂｌｅ’に存在するＲＲＣ設定関連の動作は行わず、ＣＯＲＥＳＥＴモニタリングを行う。ＣＯＲＥＳＥＴモニタリングの結果、ＧＣ  ＰＤＣＣＨ以外のＤＣＩを復号する場合は、該当ＤＣＩの情報に従う。
【０１１１】
−Ｏｐｔｉｏｎ  ３：端末は、ＧＣ  ＰＤＣＣＨのためのモニタリングが設定されていない場合のような動作を行うことができる。
【０１１２】
−Ｏｐｔｉｏｎ  ４：端末は、準静的Ｄ／Ｕ割り当て、ＲＲＣ設定およびＧＣ  ＰＤＣＣＨ以外のＤＣＩにより定義または活性化された動作のみを行う。
【０１１３】
−Ｏｐｔｉｏｎ  ５：端末は、準静的Ｄ／Ｕ割り当てにより明確にＤまたはＵに方向が定義されたリソースに限って、ＲＲＣ設定ならびにそれ以外のＤＬもしくはＵＬ関連動作を行う。
【０１１４】
−Ｏｐｔｉｏｎ  ６：端末は、準静的Ｄ／Ｕ割り当てにより明確にＤまたはＵに方向が定義されたリソース以外に、’ｆｌｅｘｉｂｌｅ’に該当するリソースについても、ＲＲＣ設定ならびにそれ以外のＤＬもしくはＵＬ関連動作を行う。
【０１１５】
図５は、本発明の一実施例によるスロットフォーマット決定方法の流れを示す。図５は、上述した実施例に関する例示的な具現であり、本発明は図５に限られず、上述した内容と重複する説明は省略する。
【０１１６】
図５を参照すると、端末／基地局は、上位層シグナリングにより少なくとも一つのＵＬ／ＤＬリソースパターンに関する情報を含むリソース設定を受信／送信する（５０５）。
【０１１７】
端末／基地局は、リソース設定に基づいて特定の周期ごとに適用されるスロットフォーマットを決定する（５１０）。
【０１１８】
リソース設定が複数のＵＬ／ＤＬリソースパターンに関する情報を含む場合、特定の周期は、複数のＵＬ／ＤＬリソースパターンのうちの第１ＵＬ／ＤＬパターンに関連する第１周期と複数のＵＬ／ＤＬリソースパターンのうちの第２ＵＬ／ＤＬパターンに関連する第２周期との組み合わせにより決定され、特定の周期の整数倍が所定の時間長さとタイムアラインメントされる。
【０１１９】
所定の時間長さは２０ｍｓであり、特定の周期の整数倍は２０ｍｓである。
【０１２０】
第１周期は、０．５ｍｓ、０．６２５ｍｓ、１ｍｓ、１．２５ｍｓ、２ｍｓ、２．５ｍｓ、５ｍｓ、または１０ｍｓである。第２周期は、０．５ｍｓ、０．６２５ｍｓ、１ｍｓ、１．２５ｍｓ、２ｍｓ、２．５ｍｓ、５ｍｓまたは１０ｍｓである。特定の周期は、第１周期と第２周期とを併せたものである。第１周期と第２周期との和が２０ｍｓの約数になるように、第１周期と第２周期との組み合わせが決定される。
【０１２１】
端末は、周期的にＧＣ−ＰＤＣＣＨをモニタリングすることにより第１ＳＦＩを含む第１ＤＣＩを受信する。基地局は、ＧＣ  ＰＤＣＣＨを介して第１ＳＦＩを含む第１ＤＣＩを送信する。端末は、所定のスロットフォーマットテーブルのスロットフォーマットの組み合わせのうち、第１ＳＦＩにより指示されるスロットフォーマットの組み合わせを得る。第１ＳＦＩにより指示されたスロットフォーマット組み合わせの区間がＧＣ−ＰＤＣＣＨのモニタリング周期より長い場合、端末／基地局は、第１ＳＦＩにより指示されたスロットフォーマット組み合わせの区間内で第２ＳＦＩを含む第２ＤＣＩを受信／送信する。第１ＳＦＩと第２ＳＦＩとは、同じスロットに対しては同じスロットフォーマットを指示する。
【０１２２】
図６は、本発明の一実施例による無線通信システム１００における基地局１０５および端末１１０の構成を示したブロック図である。基地局１０５は、ｅＮＢまたはｇＮＢとも呼ばれ、端末１１０は、ＵＥとも呼ばれる。
【０１２３】
無線通信システム１００を簡略に示すために、１つの基地局１０５および１つの端末１１０を示したが、無線通信システム１００は、１つもしくは複数の基地局ならびに／または１つもしくは複数の端末を含む。
【０１２４】
基地局１０５は、送信（Ｔｘ）データプロセッサ１１５、シンボル変調器１２０、送信器１２５、送受信アンテナ１３０、プロセッサ１８０、メモリ１８５、受信器１９０、シンボル復調器１９５および受信データプロセッサ１９７を含む。そして、端末１１０は、送信（Ｔｘ）データプロセッサ１６５、シンボル変調器１７０、送信器１７５、送受信アンテナ１３５、プロセッサ１５５、メモリ１６０、受信器１４０、シンボル復調器１５５および受信データプロセッサ１５０を含む。送受信アンテナ１３０、１３５は、それぞれ基地局１０５および端末１１０に１つが示されているが、基地局１０５および端末１１０は、複数の送受信アンテナを備えている。よって、本発明による基地局１０５および端末１１０は、ＭＩＭＯ（Multiple Input Multiple Output）システムをサポートする。また、本発明による基地局１０５は、ＳＵ−ＭＩＭＯ（Single User-MIMO）およびＭＵ−ＭＩＭＯ（Multi User-MIMO）方式の全てをサポートすることができる。
【０１２５】
下りリンク上で、送信データプロセッサ１１５は、トラフィックデータを受信し、受信したトラフィックデータをフォーマットしてコード化し、コード化されたトラフィックデータをインターリーブして変調し（またはシンボルマッピングし）、変調シンボル（“データシンボル”）を提供する。シンボル変調器１２０は、このデータシンボルおよびパイロットシンボルを受信および処理してシンボルのストリームを提供する。
【０１２６】
シンボル変調器１２０は、データおよびパイロットシンボルを多重化し、これを送信器１２５に送信する。ここで、それぞれの送信シンボルは、データシンボル、パイロットシンボルまたはゼロの信号値であり得る。それぞれのシンボル周期で、パイロットシンボルが連続して送信されることもできる。パイロットシンボルは、周波数分割多重（ＦＤＭ）、直交周波数分割多重（ＯＦＤＭ）、時分割多重（ＴＤＭ）またはコード分割多重（ＣＤＭ）シンボルであり得る。
【０１２７】
送信器１２５は、シンボルのストリームを受信し、これを１つまたは複数のアナログ信号に変換し、さらに、このアナログ信号を追加的に調節して（例えば、増幅、フィルタリングおよび周波数アップコンバート（upconverting）して、無線チャネルを介した送信に適した下りリンク信号を発生させる（生成する）。すると、送信アンテナ１３０は、発生した下りリンク信号を端末に送信する。
【０１２８】
端末１１０の構成において、受信アンテナ１３５は、基地局からの下りリンク信号を受信し、受信した信号を受信器１４０に提供する。受信器１４０は、受信した信号を調整し（例えば、フィルタリング、増幅、および周波数ダウンコンバート（downconverting））、調整された信号をデジタル化してサンプルを獲得する。シンボル復調器１４５は、受信したパイロットシンボルを復調し、チャネル推定のためにこれをプロセッサ１５５に提供する。
【０１２９】
また、シンボル復調器１４５は、プロセッサ１５５から下りリンクに対する周波数応答推定値を受信し、受信したデータシンボルに対してデータ復調を行って（送信されたデータシンボルの推定値である）データシンボル推定値を獲得し、データシンボル推定値を受信（Ｒｘ）データプロセッサ１５０に提供する。受信データプロセッサ１５０は、データシンボル推定値を復調（すなわち、シンボルデマッピング（demapping））し、デインターリーブ（deinterleaving）し、デコードして送信トラフィックデータを復旧する。
【０１３０】
シンボル復調器１４５および受信データプロセッサ１５０による処理は、それぞれ基地局１０５におけるシンボル変調器１２０および送信データプロセッサ１１５による処理に対して相補的である。
【０１３１】
端末１１０の送信データプロセッサ１６５は、上りリンク上で、トラフィックデータを処理してデータシンボルを提供する。シンボル変調器１７０は、データシンボルを受信して多重化し、変調を行い、シンボルのストリームを送信器１７５に提供することができる。送信器１７５は、シンボルのストリームを受信および処理して上りリンク信号を発生させる。そして、送信アンテナ１３５は、発生した上りリンク信号を基地局１０５に送信する。端末および基地局における送信器および受信器は、１つのＲＦユニットで構成される。
【０１３２】
基地局１０５で、端末１１０から上りリンク信号が受信アンテナ１３０を介して受信され、受信器１９０は、受信した上りリンク信号を処理してサンプルを獲得する。ついで、シンボル復調器１９５は、このサンプルを処理し、上りリンクに対して受信したパイロットシンボルおよびデータシンボル推定値を提供する。受信データプロセッサ１９７は、データシンボル推定値を処理し、端末１１０から送信されたトラフィックデータを復旧する。
【０１３３】
端末１１０および基地局１０５のそれぞれのプロセッサ１５５、１８０は、それぞれ端末１１０および基地局１０５における動作を指示（例えば、制御、調整、管理など）する。それぞれのプロセッサ１５５、１８０は、プログラムコードおよびデータを記憶するメモリユニット１６０、１８５と接続されることができる。メモリ１６０、１８５は、プロセッサ１８０に接続され、オペレーティングシステム、アプリケーション、および一般ファイル（general files）を記憶する。
【０１３４】
プロセッサ１５５、１８０は、コントローラ（controller）、マイクロコントローラ（microcontroller）、マイクロプロセッサ（microprocessor）、マイクロコンピュータ（microcomputer）などとも言える。一方、プロセッサ１５５、１８０は、ハードウェア（hardware）もしくはファームウェア（firmware）、ソフトウェア、またはこれらの組合せによって実現されることができる。ハードウェアを用いて本発明の実施例を実現する場合には、本発明を実行するように構成されたＡＳＩＣｓ（Application Specific Integrated Circuits）またはＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）などがプロセッサ１５５、１８０に備えられることができる。
【０１３５】
一方、ファームウェアまたはソフトウェアを用いて本発明の実施例を具現する場合には、本発明の機能または動作を行うモジュール、過程または関数などを含むようにファームウェアまたはソフトウェアが構成されることができ、本発明を実行するように構成されたファームウェアまたはソフトウェアは、プロセッサ１５５、１８０内に備えられたりメモリ１６０、１８５に記憶（保存）されてプロセッサ１５５、１８０によって駆動されることができる。
【０１３６】
端末と基地局の無線通信システム（ネットワーク）との間の無線インターフェースプロトコルのレイヤは、通信システムでよく知られたＯＳＩ（Open System Interconnection）モデルの下位３個のレイヤに基づいて、第１レイヤＬ１、第２レイヤＬ２および第３レイヤＬ３に分類されることができる。物理レイヤは、上記第１レイヤに属し、物理チャネルを介して情報送信サービスを提供する。ＲＲＣ（Radio Resource Control）レイヤは、上記第３レイヤに属し、ＵＥとネットワークとの間の制御無線リソースを提供する。端末と基地局とは、無線通信ネットワークおよびＲＲＣレイヤを介してＲＲＣメッセージを交換することができる。
【０１３７】
以上で説明した実施例は、本発明の構成要素と特徴とが所定の形態で結合されたものである。各構成要素または特徴は、別途の明示的言及がない限り選択的なものとして考慮されなければならない。各構成要素または特徴は、他の構成要素または特徴と結合しない形態で実施されることができる。また、一部の構成要素および／または特徴を結合して本発明の実施例を構成することもできる。本発明の実施例で説明する動作の順序は、変更されることができる。一実施例の一部の構成または特徴は、他の実施例に含まれることができ、あるいは他の実施例の対応する構成または特徴と置き換えられることができる。特許請求の範囲で明示的な引用関係がない請求項を結合して実施例を構成したり出願後の補正によって新しい請求項として含めることができるのは明らかである。
【０１３８】
本発明は、本発明の精神および必須特徴から逸脱しない範疇内で、他の特定の形態で具体化されることができるのは当業者にとって明らかである。よって、上記の詳細な説明は、全ての面で制限的に解釈されてはならず、例示的なものとして考慮されなければならない。本発明の範囲は、添付の請求項の合理的解釈によって決定されなければならず、本発明の等価的範囲内における全ての変更は、本発明の範囲に含まれる。
【産業上の利用可能性】
【０１３９】
以上のように、本発明は、様々な無線通信システムに適用できる。
【図１】
2020537848.tif 000006
【図２】
2020537848.tif 000007
【図３】
2020537848.tif 000008
【図４】
2020537848.tif 000009
【図５】
2020537848.tif 000010
【図６】
2020537848.tif 000011
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
無線通信システムにおいて端末がスロットフォーマット関連情報（Slot Format related Information；ＳＦＩ）を受信する方法であって、
グループ共通物理下りリンク制御チャネル（Group Common Physical Downlink Control CHannel；ＧＣ−ＰＤＣＣＨ）モニタリングに関するモニタリング周期に基づいて、第１の期間において第１のＳＦＩを有する第１のＧＣ−ＰＤＣＣＨを受信する段階と、
前記第１のＳＦＩに基づいて、第１のスロットに関するそれぞれのスロットフォーマットを決定する段階と、
前記モニタリング周期に基づいて、第２の期間において第２のＳＦＩを有する第２のＧＣ−ＰＤＣＣＨを受信する段階と、
前記第２のＳＦＩに基づいて、第２のスロットに関するそれぞれのスロットフォーマットを決定する段階と、を有し、
前記第１のＳＦＩによって示されるスロットフォーマットの区間は、ＧＣ−ＰＤＣＣＨの前記モニタリング周期より長く、
前記第２のスロットは、前記第１のスロットと重畳するスロットを有し、
前記第２のＳＦＩは、前記重畳するスロットに関する前記第２のＳＦＩによって示されるスロットフォーマットと同じ前記重畳するスロットに関するスロットフォーマットを示すよう制限される、方法。
【請求項２】
前記端末は、それぞれのスロットフォーマット組み合わせが少なくとも１つのスロットフォーマットに対応する、複数のスロットフォーマット組み合わせによって構成され、
前記第１のＳＦＩ及び前記第２のＳＦＩのそれぞれは、前記複数のスロットフォーマット組み合わせのうちの一つを示す、請求項１に記載の方法。
【請求項３】
準静的上りリンク−下りリンク（UpLink-DownLink；ＵＬ−ＤＬ）設定を受信する段階と、
前記ＵＬ−ＤＬ設定に基づいて、特定の周期ごとに適用されるスロットフォーマットを決定する段階と、を有し、
前記準静的ＵＬ−ＤＬ設定によってフレキシブル（flexible）と示されるリソースに対して、前記モニタリング周期に対応する第３の期間において第３のＧＣ−ＰＤＣＣＨを検出しないことに基づいて、前記端末は、無線リソース制御（ＲＲＣ）設定によって前記リソース上で行われるよう設定された上りリンク送信を取り消す、請求項１又は２に記載の方法。
【請求項４】
前記第３のＧＣ−ＰＤＣＣＨが検出されない状態において、前記準静的ＵＬ−ＤＬ設定によってフレキシブルと示されないリソース上で前記準静的ＵＬ−ＤＬ設定によって活性化された動作を行う段階を有する、請求項３に記載の方法。
【請求項５】
前記特定の周期の正の整数倍は、２０ｍｓである、請求項４に記載の方法。
【請求項６】
リソースに関する上りリンク送信を示すＲＲＣ設定を受信する段階と、
物理上りリンク共有チャネル（Physical Uplink Shared Channel；ＰＵＳＣＨ）準備時間に基づいて、前記上りリンク送信を取り消すか否かを決定する段階と、を有し、
前記第１のＧＣ−ＰＤＣＣＨは、前記リソースに関する前記上りリンク送信を取り消す情報を有する、請求項１〜５のいずれか一項に記載の方法。
【請求項７】
前記端末は、前記リソースの開始より前の一定の時点の前に前記第１のＧＣ−ＰＤＣＣＨを受信する場合、前記リソース上の前記上りリンク送信を取り消し、
前記一定の時点と前記リソースの開始との差は、前記ＰＵＳＣＨの準備時間（Ｎ２）とタイミングアドバンス時間（ＴＡ）との和に等しく、
前記端末は、前記一定の時点の後に前記第１のＧＣ−ＰＤＣＣＨを受信する場合、前記リソース上の前記上りリンク送信を行う、請求項６に記載の方法。
【請求項８】
無線通信システムにおいて基地局がスロットフォーマット関連情報（Slot Format related Information；ＳＦＩ）を送信する方法であって、
グループ共通物理下りリンク制御チャネル（Group Common Physical Downlink Control CHannel；ＧＣ−ＰＤＣＣＨ）モニタリングに関するモニタリング周期に基づいて、第１の期間において第１のＳＦＩを有する第１のＧＣ−ＰＤＣＣＨを送信する段階と、
前記モニタリング周期に基づいて、第２の期間において第２のＳＦＩを有する第２のＧＣ−ＰＤＣＣＨを送信する段階と、を有し、
前記第１のＳＦＩは、第１のスロットに関するそれぞれのスロットフォーマットを示し、
前記第２のＳＦＩは、第２のスロットに関するそれぞれのスロットフォーマットを示し、
前記第１のＳＦＩによって示されるスロットフォーマットの区間は、ＧＣ−ＰＤＣＣＨの前記モニタリング周期より長く、
前記第２のスロットは、前記第１のスロットと重畳するスロットを有し、
前記第２のＳＦＩは、前記重畳するスロットに関する前記第２のＳＦＩによって示されるスロットフォーマットと同じ前記重畳するスロットに関するスロットフォーマットを示すよう制限される、方法。
【請求項９】
特定の周期ごとに適用されるスロットフォーマットに関する準静的上りリンク−下りリンク（UpLink-DownLink；ＵＬ−ＤＬ）設定を送信する段階を有し、
前記特定の周期の正の整数倍は、２０ｍｓである、請求項８に記載の方法。
【請求項１０】
無線通信システムにおいて端末がスロットフォーマット関連情報（Slot Format related Information；ＳＦＩ）を受信する端末であって、
送受信器と、
少なくとも１つのプロセッサと、
前記少なくとも１つのプロセッサと動作可能に接続可能で、指示を記憶する少なくとも１つのコンピュータ読取り可能なメモリと、を有し、
前記指示は、実行されたとき、前記前記少なくとも１つのプロセッサに、
グループ共通物理下りリンク制御チャネル（Group Common Physical Downlink Control CHannel；ＧＣ−ＰＤＣＣＨ）モニタリングに関するモニタリング周期に基づいて、第１の期間において第１のＳＦＩを有する第１のＧＣ−ＰＤＣＣＨを受信することと、
前記第１のＳＦＩに基づいて、第１のスロットに関するそれぞれのスロットフォーマットを決定することと、
前記モニタリング周期に基づいて、第２の期間において第２のＳＦＩを有する第２のＧＣ−ＰＤＣＣＨを受信することと、
前記第２のＳＦＩに基づいて、第２のスロットに関するそれぞれのスロットフォーマットを決定することと、を有する動作を行わせ、
前記第１のＳＦＩによって示されるスロットフォーマットの区間は、ＧＣ−ＰＤＣＣＨの前記モニタリング周期より長く、
前記第２のスロットは、前記第１のスロットと重畳するスロットを有し、
前記第２のＳＦＩは、前記重畳するスロットに関する前記第２のＳＦＩによって示されるスロットフォーマットと同じ前記重畳するスロットに関するスロットフォーマットを示すよう制限される、端末。
【請求項１１】
前記動作は、
準静的上りリンク−下りリンク（UpLink-DownLink；ＵＬ−ＤＬ）設定を受信することと、
前記ＵＬ−ＤＬ設定に基づいて、特定の周期ごとに適用されるスロットフォーマットを決定することと、を有し、
前記準静的ＵＬ−ＤＬ設定によってフレキシブル（flexible）と示されるリソースに対して、前記モニタリング周期に対応する第３の期間において第３のＧＣ−ＰＤＣＣＨを検出しないことに基づいて、前記動作は、無線リソース制御（ＲＲＣ）設定によって前記リソース上で行われるよう設定された上りリンク送信を取り消すことを有する、請求項１０に記載の端末。
【請求項１２】
前記動作は、
前記第３のＧＣ−ＰＤＣＣＨが検出されない状態において、前記準静的ＵＬ−ＤＬ設定によってフレキシブルと示されないリソース上で前記準静的ＵＬ−ＤＬ設定によって活性化された動作を行うことを有する、請求項１１に記載の端末。
【請求項１３】
前記特定の周期の正の整数倍は、２０ｍｓである、請求項１１または１２に記載の端末。
【請求項１４】
基地局であって、
送受信器と、
少なくとも１つのプロセッサと、
前記少なくとも１つのプロセッサと動作可能に接続可能で、指示を記憶する少なくとも１つのコンピュータ読取り可能なメモリと、を有し、
前記指示は、実行されたとき、前記前記少なくとも１つのプロセッサに、
グループ共通物理下りリンク制御チャネル（Group Common Physical Downlink Control CHannel；ＧＣ−ＰＤＣＣＨ）モニタリングに関するモニタリング周期に基づいて、第１の期間において第１のＳＦＩを有する第１のＧＣ−ＰＤＣＣＨを送信することと、
前記モニタリング周期に基づいて、第２の期間において第２のＳＦＩを有する第２のＧＣ−ＰＤＣＣＨを送信することと、を有する動作を行わせ、
前記第１のＳＦＩは、第１のスロットに関するそれぞれのスロットフォーマットを示し、
前記第２のＳＦＩは、第２のスロットに関するそれぞれのスロットフォーマットを示し、
前記第１のＳＦＩによって示されるスロットフォーマットの区間は、ＧＣ−ＰＤＣＣＨの前記モニタリング周期より長く、
前記第２のスロットは、前記第１のスロットと重畳するスロットを有し、
前記第２のＳＦＩは、前記重畳するスロットに関する前記第２のＳＦＩによって示されるスロットフォーマットと同じ前記重畳するスロットに関するスロットフォーマットを示すよう制限される、基地局。
【国際調査報告】
2020537848.tif 000012
2020537848.tif 000013
2020537848.tif 000014
2020537848.tif 000015